(57)【要約】【課題】キャリアアグリゲーションを行う移動通信システムにおいて、ユーザ装置がＣＡバンドコンビネーションの能力を基地局に通知する際の信号量を削減する。【解決手段】キャリアアグリゲーションに対応した移動通信システムにおけるユーザ装置において、前記ユーザ装置におけるキャリアアグリゲーションで使用可能なバンドの組み合わせに応じて、前記移動通信システムにおける基地局に通知するバンド組み合わせを決定する通知制御部と、前記通知制御部により決定されたバンドの組み合わせを示すバンド組み合わせ情報を前記基地局に送信する送信部とを備え、前記通知制御部を、前記ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定するように構成する。【選択図】図１４
2015149566.tif 000002
【特許請求の範囲】
【請求項１】
キャリアアグリゲーションに対応した移動通信システムにおけるユーザ装置であって、
前記ユーザ装置におけるキャリアアグリゲーションで使用可能なバンドの組み合わせに応じて、前記移動通信システムにおける基地局に通知するバンド組み合わせを決定する通知制御部と、
前記通知制御部により決定されたバンドの組み合わせを示すバンド組み合わせ情報を前記基地局に送信する送信部と、を備え、
前記通知制御部は、前記ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定する
ことを特徴とするユーザ装置。
【請求項２】
前記通知制御部は、前記ユーザ装置において、前記所定のバンドの組み合わせのセットの中に使用できないバンドの組み合わせが存在する場合に、使用可能なバンドの組み合わせのそれぞれを前記基地局に通知するバンドの組み合わせとして決定する
ことを特徴とする請求項１に記載のユーザ装置。
【請求項３】
前記所定のバンドの組み合わせのセットは、最上位のバンドの組み合わせと、当該最上位のバンドの組み合わせのサブセットを有し、前記特定のバンドの組み合わせは、前記最上位のバンドの組み合わせである
ことを特徴とする請求項１又は２に記載のユーザ装置。
【請求項４】
キャリアアグリゲーションに対応した移動通信システムにおける基地局であって、
ユーザ装置から、キャリアアグリゲーションにおけるバンドの組み合わせを示すバンド組み合わせ情報を受信する受信部と、
前記受信部により受信された前記バンド組み合わせ情報に含まれるバンドの組み合わせの数に応じて、前記ユーザ装置において使用可能なバンドの組み合わせを判定する判定部と、を備え、
前記判定部は、前記バンド組み合わせ情報に含まれるバンドの組み合わせの数が１である場合に、前記ユーザ装置は、所定のバンドの組み合わせのセットにおける全てのバンドの組み合わせを使用可能であると判定する
ことを特徴とする基地局。
【請求項５】
前記所定のバンドの組み合わせのセットは、最上位のバンドの組み合わせと、当該最上位のバンドの組み合わせのサブセットを有し、前記１つのバンドの組み合わせは、前記最上位のバンドの組み合わせである
ことを特徴とする請求項４に記載の基地局。
【請求項６】
キャリアアグリゲーションに対応した移動通信システムにおけるユーザ装置が実行する情報通知方法であって、
前記ユーザ装置におけるキャリアアグリゲーションで使用可能なバンドの組み合わせに応じて、前記移動通信システムにおける基地局に通知するバンド組み合わせを決定する通知制御ステップと、
前記通知制御ステップにより決定されたバンドの組み合わせを示すバンド組み合わせ情報を前記基地局に送信する送信ステップと、を備え、
前記通知制御ステップにおいて、前記ユーザ装置は、当該ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定する
ことを特徴とする情報通知方法。
【請求項７】
キャリアアグリゲーションに対応した移動通信システムにおける基地局が実行する情報受信方法であって、
ユーザ装置から、キャリアアグリゲーションにおけるバンドの組み合わせを示すバンド組み合わせ情報を受信する受信ステップと、
前記受信ステップにより受信された前記バンド組み合わせ情報に含まれるバンドの組み合わせの数に応じて、前記ユーザ装置において使用可能なバンドの組み合わせを判定する判定ステップと、を備え、
前記判定ステップにおいて、前記基地局は、前記バンド組み合わせ情報に含まれるバンドの組み合わせの数が１である場合に、前記ユーザ装置は、所定のバンドの組み合わせのセットにおける全てのバンドの組み合わせを使用可能であると判定する
ことを特徴とする情報受信方法。
【発明の詳細な説明】
【技術分野】
【０００１】
本発明は、ＬＴＥ等の移動通信システムにおけるユーザ装置ＵＥが、基地局ｅＮＢに自身の能力情報を通知する技術に関連するものである。
【背景技術】
【０００２】
ＬＴＥ−Ａｄｖａｎｃｅｄでは、ＬＴＥとのバックワードコンパチビリティを保ちつつ、ＬＴＥを上回るスループットを実現するために、ＬＴＥでサポートされている帯域幅（最大２０ＭＨｚ）を基本単位として、複数のキャリアを同時に用いて通信を行うキャリアアグリゲーション（ＣＡ：Ｃａｒｒｉｅｒ  Ａｇｇｒｅｇａｔｉｏｎ）が採用されている。キャリアアグリゲーションにおいて基本単位となるキャリアはコンポーネントキャリア（ＣＣ：Ｃｏｍｐｏｎｅｎｔ  Ｃａｒｒｉｅｒ）と呼ばれる。
【０００３】
キャリアアグリゲーションは、ＣＣの周波数配置により図１（ａ）〜（ｃ）に示すように３つのシナリオに分類される。図１（ａ）は、Ｉｎｔｒａ−ｂａｎｄ  ｃｏｎｔｉｇｕｏｕｓ  ＣＡであり、バンド内で連続するＣＣを配置するシナリオである。このシナリオは、例えば、３．５ＧＨｚ帯のような広帯域の割当てが行われる場合に適用される。図１（ｂ）は、Ｉｎｔｅｒ−ｂａｎｄ  ｎｏｎ−ｃｏｎｔｉｇｕｏｕｓ  ＣＡであり、異なるバンドのＣＣを複数配置するシナリオである。このシナリオは、例えば、２ＧＨｚ帯と１．５ＧＨｚ帯等の複数のキャリアを用いて通信を行う場合に適用される。図１（ｃ）は、Ｉｎｔｒａ−ｂａｎｄ  ｎｏｎ−ｃｏｎｔｉｇｕｏｕｓ  ＣＡであり、同じバンド内で非連続なＣＣを配置するシナリオである。このシナリオは、例えば、事業者への周波数帯域の割当てが断片的である場合等に適用される。
【０００４】
一方、ＬＴＥ（ＬＴＥ−Ａｄｖａｎｃｅｄを含む）システムにおいては、ユーザ装置ＵＥは、例えばネットワークへの接続時等に、自身の能力（Ｃａｐａｂｉｌｉｔｙ）を所定のシグナリングメッセージ（ＵＥ−ＥＵＴＲＡ−Ｃａｐａｂｉｌｉｔｙ）で基地局ｅＮＢに通知することが規定されている（非特許文献１）。
【先行技術文献】
【非特許文献】
【０００５】
【非特許文献１】３ＧＰＰ  ＴＳ  ３６．３３１  Ｖ１１．５．０  （２０１３−０９）
【非特許文献２】３ＧＰＰ  ＴＳ  ３６．１０１  Ｖ１２．２．０  （２０１３−１２）
【発明の概要】
【発明が解決しようとする課題】
【０００６】
上記の能力情報の通知において、ユーザ装置ＵＥは、自身がＣＡにおいてサポートするバンドの組み合わせ（ＣＡバンドコンビネーション、ＣＡ  ｂａｎｄ  ｃｏｍｂｉｎａｔｉｏｎ）を基地局ｅＮＢに通知する。また、ユーザ装置ＵＥが複数種類のＣＡバンドコンビネーションに対応できる場合、ユーザ装置ＵＥは、対応する全てのＣＡバンドコンビネーションのパターンを基地局ｅＮＢに通知するように現状は規定されている。
【０００７】
ＣＡバンドコンビネーションを通知するメッセージの構造例を図２に示す。図２に示すように、当該メッセージにて、ＵＬ／ＤＬ個別にバンドコンビネーション毎、バンド毎にＣＡ  ｂａｎｄｗｉｄｔｈｃｌａｓｓとＭＩＭＯレイヤ数を通知可能になっている。
【０００８】
ＣＡ  ｂａｎｄｗｉｄｔｈｃｌａｓｓとは、図３の表（非特許文献２）により定義されるクラスであり、周波数バンド毎に、ユーザ装置ＵＥでアグリゲート可能な帯域幅、ＣＣ数を示す。例えば、周波数帯２ＧＨｚ（Ｂａｎｄ  １）と１．５ＧＨｚ（Ｂａｎｄ  ２１）で各バンドの最大ＣＣ数が１、アグリゲート可能な最大帯域幅が１００ＲＢであり、かつ２ＣＣのｉｎｔｅｒ−ｂａｎｄ  ＣＡの場合、１Ａ＿２１Ａと標準仕様上記載されている。
【０００９】
図４に、ＣＡバンドコンビネーションを通知するシグナリングメッセージの具体例を示す。図４に示す例は、２Ｇ＋１．５Ｇの下りのみのＣＡであり、下り２ｘ２ＭＩＭＯを行う能力を通知する例である。図４に示す例では、２バンドで下りＣＡを行うパターンから、１．５Ｇ単独で使用するパターンまで４種類のパターンが通知されている。
【００１０】
上述したように、従来技術においては、ユーザ装置ＵＥは、自身が対応しているＣＡバンドコンビネーションを全て通知しなければならない。ユーザ装置ＵＥが最大で３ＤＬ／３ＵＬ  ＣＡにまで対応している場合に通知するＣＡバンドコンビネーションを図５に示す。ここでは、最大のＣＡ能力である３ＤＬ／３ＵＬよりも低い（ＤＬ、ＵＬのいずれか又は両方でＣＣ数が小さい）バンドコンビネーションを３ＤＬ／３ＵＬのサブセット（Ｓｕｂｓｅｔ）と呼ぶ。図５の例では、ユーザ装置ＵＥは、３ＤＬ／３ＵＬとともに、その全てのサブセットに対応しているため、合計で１９個のＣＡバンドコンビネーションを基地局ｅＮＢに通知する。なお、ＣＡをしない場合（Ｎｏｎ−ＣＡ、Ｎｏ．１７−１９）も、ＣＡのサブセットとして通知することが規定されている。
【００１１】
また、ＭＩＭＯのレイヤ数については、ＣＡバンドコンビネーションの通知において、ＵＬ／ＤＬ個別にバンドコンビネーション毎、バンド毎に通知することができ、例えば、図６に示すように、同じ周波数バンド（例：１．５Ｇ）でも、ＣＡバンドコンビネーションにより、異なるＭＩＭＯレイヤ数を通知することもできる。
【００１２】
上記のように、従来技術では、ユーザ装置ＵＥは、自身が対応しているＣＡバンドコンビネーションを全て通知しなければならないため、アグリゲートするＣＣ数が増加するにつれて、通知するバンドコンビネーションの数が増加し、シグナリングのための信号量（情報量）が増加してしまうという課題がある。
【００１３】
本発明は上記の点に鑑みてなされたものであり、キャリアアグリゲーションを行う移動通信システムにおいて、ユーザ装置がＣＡバンドコンビネーションの能力を基地局に通知する際の信号量を削減する技術を提供することを目的とする。
【課題を解決するための手段】
【００１４】
本発明の実施の形態によれば、キャリアアグリゲーションに対応した移動通信システムにおけるユーザ装置であって、
前記ユーザ装置におけるキャリアアグリゲーションで使用可能なバンドの組み合わせに応じて、前記移動通信システムにおける基地局に通知するバンド組み合わせを決定する通知制御部と、
前記通知制御部により決定されたバンドの組み合わせを示すバンド組み合わせ情報を前記基地局に送信する送信部と、を備え、
前記通知制御部は、前記ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定するユーザ装置が提供される。
【００１５】
また、本発明の実施の形態によれば、キャリアアグリゲーションに対応した移動通信システムにおける基地局であって、
ユーザ装置から、キャリアアグリゲーションにおけるバンドの組み合わせを示すバンド組み合わせ情報を受信する受信部と、
前記受信部により受信された前記バンド組み合わせ情報に含まれるバンドの組み合わせの数に応じて、前記ユーザ装置において使用可能なバンドの組み合わせを判定する判定部と、を備え、
前記判定部は、前記バンド組み合わせ情報に含まれるバンドの組み合わせの数が１である場合に、前記ユーザ装置は、所定のバンドの組み合わせのセットにおける全てのバンドの組み合わせを使用可能であると判定する基地局が提供される。
【００１６】
また、本発明の実施の形態によれば、キャリアアグリゲーションに対応した移動通信システムにおけるユーザ装置が実行する情報通知方法であって、
前記ユーザ装置におけるキャリアアグリゲーションで使用可能なバンドの組み合わせに応じて、前記移動通信システムにおける基地局に通知するバンド組み合わせを決定する通知制御ステップと、
前記通知制御ステップにより決定されたバンドの組み合わせを示すバンド組み合わせ情報を前記基地局に送信する送信ステップと、を備え、
前記通知制御ステップにおいて、前記ユーザ装置は、当該ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定する情報通知方法が提供される。
【００１７】
また、本発明の実施の形態によれば、キャリアアグリゲーションに対応した移動通信システムにおける基地局が実行する情報受信方法であって、
ユーザ装置から、キャリアアグリゲーションにおけるバンドの組み合わせを示すバンド組み合わせ情報を受信する受信ステップと、
前記受信ステップにより受信された前記バンド組み合わせ情報に含まれるバンドの組み合わせの数に応じて、前記ユーザ装置において使用可能なバンドの組み合わせを判定する判定ステップと、を備え、
前記判定ステップにおいて、前記基地局は、前記バンド組み合わせ情報に含まれるバンドの組み合わせの数が１である場合に、前記ユーザ装置は、所定のバンドの組み合わせのセットにおける全てのバンドの組み合わせを使用可能であると判定する情報受信方法が提供される。
【発明の効果】
【００１８】
本発明の実施の形態によれば、キャリアアグリゲーションを行う移動通信システムにおいて、ユーザ装置がＣＡバンドコンビネーションの能力を基地局に通知する際の信号量を削減することが可能となる。
【図面の簡単な説明】
【００１９】
【図１】キャリアアグリゲーションの周波数配置例を示す図である。
【図２】ＣＡバンドコンビネーション情報を通知するメッセージの構造例を示す図である。
【図３】ＣＡ−ＢａｎｄｗｉｄｔｈＣｌａｓｓを示す表である。
【図４】ＣＡバンドコンビネーション情報を通知するシグナリングメッセージの具体例を示す図である。
【図５】ユーザ装置ＵＥが最大で３ＤＬ／３ＵＬ  ＣＡにまで対応している場合にＣＡバンドコンビネーションとして通知する情報を示す図である。
【図６】ＣＡバンドコンビネーション毎に通知するＭＩＭＯレイヤ数の例を示す図である。
【図７】本発明の実施の形態に係る通信システムの構成図である。
【図８】本発明の実施の形態に係る通信システムの動作を示すシーケンス図である。
【図９】３ＤＬ／３ＵＬを最上位とする全部で１９種類のＣＡバンドコンビネーションについて具体例を説明するための図である。
【図１０】通知するバンド毎のＭＩＭＯレイヤ数の例を示す図である。
【図１１】３ＤＬ／１ＵＬ  ＣＡ（ＵＬは８００Ｍ）のＣＡバンドコンビネーションの例を示す図である。
【図１２】３ＤＬ／２ＵＬ  ＣＡ（ＵＬは８００Ｍ，１．５Ｇ）のＣＡバンドコンビネーションの例を示す図である。
【図１３】本発明の実施の形態に係るユーザ装置ＵＥの機能構成図である。
【図１４】ユーザ装置ＵＥの動作を示すフローチャートである。
【図１５】本発明の実施の形態に係る基地局ｅＮＢの機能構成図である。
【図１６】基地局ｅＮＢのの動作を示すフローチャートである。
【図１７】変形例におけるシーケンス図である。
【発明を実施するための形態】
【００２０】
以下、図面を参照して本発明の実施の形態を説明する。なお、以下で説明する実施の形態は一例に過ぎず、本発明が適用される実施の形態は、以下の実施の形態に限られるわけではない。例えば、本実施の形態の通信システムは、ＬＴＥ−Ａｄｖａｎｃｅｄを含むＬＴＥに対応していることを想定しているが、本発明はＬＴＥに限らず、ＣＡを行う他の方式にも適用可能である。以下、特に断らない限り、「ＬＴＥ」は、ＬＴＥ−Ａｄｖａｎｃｅｄを含む意味で使用する。
【００２１】
（システム全体構成、動作例）
図７に本発明の実施の形態に係る通信システムの構成図を示す。本実施の形態に係る通信システムは、ＬＴＥ方式の通信システムであり、図７に示すように、ユーザ装置ＵＥ、及び基地局ｅＮＢを含む。ユーザ装置ＵＥ、及び基地局ｅＮＢは、ＣＡを行うことが可能である。図７には、ユーザ装置ＵＥ、及び基地局ｅＮＢが１つずつ示されているが、これは例であり、それぞれ複数であってもよい。また、ユーザ装置ＵＥは、複数の基地局ｅＮＢと同時に通信を行う能力（Ｄｕａｌ  Ｃｏｎｎｅｃｔｉｖｉｔｙ）を備えていてもよい。
【００２２】
本実施の形態において、図８に示すように、ユーザ装置ＵＥは、基地局ｅＮＢに対してＣＡバンドコンビネーション情報を送信する。この通知におけるメッセージとして、例えば、図４、図５等に示したメッセージを使用することができる。なお、以下、バンドの組み合わせを意図する場合は主に「ＣＡバンドコンビネーション」を用い、メッセージで運ばれる情報を意図する場合は主に「ＣＡバンドコンビネーション情報」、「ＣＡバンドコンビネーションの情報」等を用いる。
【００２３】
本実施の形態においては、ユーザ装置ＵＥが、あるＣＡバンドコンビネーションとそのサブセットのＣＡバンドコンビネーションの全てに対応している場合、当該ユーザ装置ＵＥはサブセットのＣＡコンビネーションの情報の通知を省略し、最上位のＣＡバンドコンビネーションの情報のみを通知することとしている。ＭＩＭＯレイヤ数については、当該最上位のＣＡバンドコンビネーションのみにおける各バンドについて通知を行う。
【００２４】
一方、ユーザ装置ＵＥが、ある最上位のＣＡバンドコンビネーションに対応するが、そのサブセットの全てのＣＡバンドコンビネーションには対応してない場合、もしくは、対応していてもサポートするＭＩＭＯレイヤ数がある周波数バンドで異なる場合（例：図６）、当該最上位のＣＡバンドコンビネーションの情報に加えて、対応しているサブセットのＣＡバンドコンビネーションの全ての情報をＭＩＭＯレイヤ数とともに通知する。
【００２５】
他方、基地局ｅＮＢは、ユーザ装置ＵＥから、あるＣＡバンドコンビネーション（ＭＩＭＯレイヤ数含む）の情報を受信し、かつそのＣＡバンドコンビネーションのサブセットのＣＡバンドコンビネーションの情報を１つも受信しなかった場合に、当該ユーザ装置ＵＥは、受信したＣＡバンドコンビネーションとともに、そのサブセットのＣＡバンドコンビネーションについても全て対応していると判断する。
【００２６】
ＭＩＭＯレイヤ数については、サブセットの各ＣＡバンドコンビネーションにおいて、受信したＣＡバンドコンビネーション情報で通知されたレイヤ数と各バンドで同じと判断する。
【００２７】
また、基地局ｅＮＢは、ユーザ装置ＵＥからあるＣＡバンドコンビネーションの情報を受信し、かつそのサブセットのＣＡバンドコンビネーションの情報を少なくとも１つ受信した場合には、当該ユーザ装置ＵＥは、受信した当該ＣＡバンドコンビネーションと受信したサブセットのＣＡバンドコンビネーションのみに対応していると判断する。ＭＩＭＯレイヤ数についても、受信したＣＡバンドコンビネーション情報毎に、それに含まれるＭＩＭＯレイヤ数に対応しているものと判断する。
【００２８】
（具体例）
一例として、図９に示すように、３ＤＬ／３ＵＬを最上位とする全部で１９種類のＣＡバンドコンビネーションのセットについて具体例を説明する。
【００２９】
ユーザ装置ＵＥが１９種類のＣＡバンドコンビネーションの全てに対応し、各バンドでサポートするＭＩＭＯレイヤ数が上り、下りともに全てのＣＡバンドコンビネーションについて２であるとする。
【００３０】
この場合、本実施の形態におけるユーザ装置ＵＥは、図９のＡに示すＮｏ．１のＣＡバンドコンビネーションの情報と、図１０に示すＮｏ．１のＣＡバンドコンビネーションにおける各バンドの上り、下りのＭＩＭＯレイヤ数とを基地局ｅＮＢに通知する。サブセットのＮｏ．２〜１９については通知を行わない。
【００３１】
上記のようにＮｏ．１〜１９のうちのＮｏ．１のＣＡバンドコンビネーションのみの情報をユーザ装置ＵＥから受信した基地局ｅＮＢは、当該ユーザ装置ＵＥにおいてＮｏ．１〜１９の全てに対応していると判断する。また、Ｎｏ．２〜１９のＭＩＭＯレイヤ数については、Ｎｏ．１のＣＡバンドコンビネーション情報に含まれるＭＩＭＯレイヤ数と同じであると判断する。すなわち、本例では、８００Ｍ、１．５Ｇ、２Ｇそれぞれ２レイヤのＭＩＭＯをサポートすると判断する。なお、Ｎｏ．１のＣＡバンドコンビネーションは、１つのバンドの組み合わせに相当する。
【００３２】
一方、ユーザ装置ＵＥが、図９に示すＣＡバンドコンビネーションのうちのＮｏ．１、２、６、１０、１７、１８、１９（図９のＡ〜Ｇ）のみに対応していた場合、ユーザ装置ＵＥは、Ｎｏ．１、２、６、１０、１７、１８、１９のそれぞれのＣＡバンドコンビネーション情報を基地局ｅＮＢに送信する。各ＣＡバンドコンビネーション情報には、バンド毎のＭＩＭＯレイヤ数も含まれている。
【００３３】
この場合、基地局ｅＮＢは、Ｎｏ．１のＣＡバンドコンビネーション情報に加えて、Ｎｏ．２、６、１０、１７、１８、１９のそれぞれのＣＡバンドコンビネーション情報も受信するので、前述したとおり、基地局ｅＮＢは、ユーザ装置ＵＥが、受信したＣＡバンドコンビネーション情報に示されるＣＡバンドコンビネーション及びＭＩＭＯレイヤ数に対応し、その他のＣＡバンドコンビネーションには対応していないと判断する。
【００３４】
なお、ＣＡバンドコンビネーション情報を受信した基地局ｅＮＢは、その後、例えば、ユーザ装置ＵＥのＣＣ毎の通信品質等に基づいて、ユーザ装置ＵＥがサポートするＣＡコンビネーションの中からどのＣＡコンビネーションを適用するかを決定し、決定したＣＡコンビネーションをユーザ装置ＵＥに通知する（コンフィギュアする）等の動作を行う。
【００３５】
このような動作を行うために、基地局ｅＮＢは、例えば、最上位のＣＡバンドコンビネーション毎に、当該ＣＡバンドコンビネーションとそのサブセットを含むテーブル（例：図９）を保持する。ここで、最上位のＣＡバンドコンビネーション及びそのサブセットは、ユーザ装置ＵＥと基地局ｅＮＢ間で一意に定まるように決めれば、どのような内容であってもよい。例えば、図９に示す最上位のＣＡコンビネーションＮｏ．１のサブセット（Ｎｏ．２〜Ｎｏ．１９）は、通信システムにおいて一意に定まり、基地局ｅＮＢは、最上位のＣＡコンビネーションＮｏ．１に対応するサブセット（Ｎｏ．２〜Ｎｏ．１９）を把握している。
【００３６】
最上位のＣＡバンドコンビネーションとそのサブセットの他の例を図１１、図１２に示す。図１１、図１２に示す例は、いずれも下りのＣＣ数のほうが上りのＣＣ数よりも大きい場合の例であり、図１１は、３ＤＬ／１ＵＬ  ＣＡ（ＵＬは８００Ｍ）の例を示し、図１２は、３ＤＬ／２ＵＬ  ＣＡ（ＵＬは８００Ｍ，１．５Ｇ）の例を示す。
【００３７】
（装置構成、処理フロー）
＜ユーザ装置ＵＥ＞
図１３に、本実施の形態におけるユーザ装置ＵＥの機能構成図を示す。図１３に示すように、ユーザ装置ＵＥは、ＤＬ信号受信部１０１、ＵＬ信号送信部１０２、ＵＥ能力情報格納部１０３、ＵＥ能力情報通知制御部１０４を備える。なお、図１３は、ユーザ装置ＵＥにおいて本発明に特に関連する機能部のみを示すものであり、少なくともＬＴＥに準拠した動作を行うための図示しない機能も有するものである。
【００３８】
ＤＬ信号受信部１０１は、基地局ｅＮＢから各種の下り信号を受信し、受信した物理レイヤの信号からより上位のレイヤの情報を取得する機能を含み、ＵＬ信号送信部１０２は、ユーザ装置ＵＥから送信されるべき上位のレイヤの情報から、物理レイヤの各種信号を生成し、基地局ｅＮＢに対して送信する機能を含む。
【００３９】
ＵＥ能力情報格納部１０３は、ユーザ装置ＵＥ自身がサポートしているＣＡバンドコンビネーション、ＣＡバンドコンビネーション毎のバンド毎のサポートするＭＩＭＯレイヤ数等を含むＵＥ能力情報を格納する。
【００４０】
ＵＥ能力情報通知制御部１０４は、ＣＡバンドコンビネーション情報を基地局ｅＮＢに送信する場合に、ＵＥ能力情報格納部１０３を参照し、自身のＣＡバンドコンビネーション情報として、最上位の１つのＣＡバンドコンビネーションに係るＣＡバンドコンビネーション情報を送信するか、それとも、個々のＣＡバンドコンビネーションについてのＣＡバンドコンビネーション情報を送信するか等を決定し、決定されたＣＡバンドコンビネーション情報の送信をＵＬ信号送信部１０２に行わせる。ＵＬ信号送信部１０２は、ＣＡバンドコンビネーション情報を所定のメッセージに載せて、例えばＰＵＳＣＨ、ＰＵＣＣＨ等のチャネルで基地局ｅＮＢに送信する。
【００４１】
次に、図１４に示すフローチャートを参照して、ユーザ装置ＵＥの動作例（特に、ＵＥ能力情報通知制御部１０４の動作）を説明する。
【００４２】
例えば、ユーザ装置ＵＥが基地局ｅＮＢと接続するタイミング（ＲＲＣコネクションを設定するタイミング）において、ユーザ装置ＵＥのＵＥ能力情報通知制御部１０４は、ＵＥ能力情報格納部１０３を参照し、自身のＣＡバンドコンビネーションの能力が、最上位のあるＣＡバンドコンビネーションとそのサブセットの全てのＣＡバンドコンビネーションに対応しているか否かを判断する。
【００４３】
ステップ１０１での判断がＹｅｓ（対応している）となる場合、ユーザ装置ＵＥのＵＥ能力情報通知制御部１０４は、最上位のＣＡバンドコンビネーションの情報のみを基地局ｅＮＢに送信すると決定する（ステップ１０２）。なお、ステップ１０１での判断がＹｅｓであっても、最上位のＣＡバンドコンビネーションにおけるＭＩＭＯレイヤ数と異なるＭＩＭＯレイヤ数を有するＣＡバンドコンビネーションがある場合には、ステップ１０３に進む。
【００４４】
ステップ１０１での判断がＮｏ（全てには対応していない）となる場合、ユーザ装置ＵＥのＵＥ能力情報通知制御部１０４は、サポートしている各ＣＡバンドコンビネーションの情報を基地局ｅＮＢに送信すると決定する（ステップ１０３）。
【００４５】
なお、ユーザ装置ＵＥのＣＡバンドコンビネーションの能力やサポートするＭＩＭＯレイヤ数が固定的であると想定される場合には、上記のような判断を毎回行うことなく、ユーザ装置ＵＥの能力に基づいて、図１４の手順で予め決めておいた（記憶手段に記憶しておいた）ＣＡバンドコンビネーション情報を送信するようにしてもよい。
【００４６】
なお、これまでに説明した例では、ユーザ装置ＵＥがあるＣＡバンドコンビネーションとそのサブセットのＣＡバンドコンビネーションの全てに対応している場合に、上記あるＣＡバンドコンビネーション、つまり、最上位のＣＡバンドコンビネーションを基地局ｅＮＢに通知することとしているが、全てに対応している場合に通知するＣＡバンドコンビネーションは、最上位のＣＡバンドコンビネーションに限るわけではなく、最上位のＣＡバンドコンビネーションとそのサブセットを一意に特定できる１つのＣＡバンドコンビネーションであればよい。
【００４７】
また、ユーザ装置ＵＥの機能構成は上記のものに限られるわけではなく、本実施の形態で説明する処理を実現できるいかなる構成を採用してもよい。例えば、ユーザ装置ＵＥとして使用できるユーザ装置は、キャリアアグリゲーションに対応した移動通信システムにおけるユーザ装置であって、前記ユーザ装置におけるキャリアアグリゲーションで使用可能なバンドの組み合わせに応じて、前記移動通信システムにおける基地局に通知するバンド組み合わせを決定する通知制御部と、前記通知制御部により決定されたバンドの組み合わせを示すバンド組み合わせ情報を前記基地局に送信する送信部と、を備え、前記通知制御部は、前記ユーザ装置において、所定のバンドの組み合わせのセットにおける全てのバンドの組み合わせが使用可能である場合に、前記セットの中の特定のバンドの組み合わせを、前記基地局に通知するバンドの組み合わせとして決定するように構成される。この構成により、ャリアアグリゲーションを行う移動通信システムにおいて、ユーザ装置がＣＡバンドコンビネーションの能力を基地局に通知する際の信号量を削減できる。
【００４８】
前記通知制御部は、前記ユーザ装置において、前記所定のバンドの組み合わせのセットの中に使用できないバンドの組み合わせが存在する場合に、使用可能なバンドの組み合わせのそれぞれを前記基地局に通知するバンドの組み合わせとして決定する。前記所定のバンドの組み合わせのセットは、例えば、最上位のバンドの組み合わせと、当該最上位のバンドの組み合わせのサブセットを有し、前記特定のバンドの組み合わせは、前記最上位のバンドの組み合わせである。この構成により、ユーザ装置ＵＥが、あるＣＡバンドコンビネーションとそのサブセットのＣＡバンドコンビネーションの全てに対応している場合において、ユーザ装置能力（ＵＥ  ｃａｐａｂｉｌｉｔｙ）のＣＡバンドコンビネーションに関するシグナリング量を削減することができる。
【００４９】
＜基地局ｅＮＢ＞
図１５に、本実施の形態における基地局ｅＮＢの機能構成図を示す。図１５に示すように、基地局ｅＮＢは、ＤＬ信号送信部２０１、ＵＬ信号受信部２０２、ＣＡバンドコンビネーション情報格納部２０３、ＵＥ能力判定部２０４を有する。なお、図１５は、基地局ｅＮＢにおいて本発明の実施の形態に特に関連する機能部のみを示すものであり、少なくともＬＴＥ方式に準拠した動作を行うための図示しない機能も有するものである。
【００５０】
ＤＬ信号送信部２０１は、基地局ｅＮＢから送信されるべき上位のレイヤの情報から、物理レイヤの各種信号を生成し、ユーザ装置ＵＥに対して送信する機能を含む。ＵＬ信号受信部２０２は、ユーザ装置ＵＥから各種の上り信号を受信し、受信した物理レイヤの信号からより上位のレイヤの情報を取得する機能を含む。
【００５１】
ＣＡバンドコンビネーション情報格納部２０３は、最上位のＣＡバンドコンビネーションと、そのサブセットを含むテーブル情報を格納する。例えば、図９、１１、１２に示すようなテーブル情報を格納する。ＵＥ能力判定部２０４は、ユーザ装置ＵＥから受信したＣＡバンドコンビネーション情報に基づいて、当該ユーザ装置ＵＥがサポートするＣＡバンドコンビネーション及びＭＩＭＯレイヤ数を判定（決定）する。
【００５２】
図１６のフローチャートを参照して、基地局ｅＮＢの動作例を説明する。基地局ｅＮＢがユーザ装置ＵＥからＵＬ信号受信部２０２によりＣＡバンドコンビネーション情報を受信する（ステップ２０１）。次に、基地局ｅＮＢのＵＥ能力判定部２０４は、１つのＣＡバンドコンビネーションに係るＣＡバンドコンビネーション情報を受信したか否かを判断する（ステップ２０２）。
【００５３】
ステップ２０２での判断がＹｅｓ（１つのみ受信）となる場合、基地局ｅＮＢのＵＥ能力判定部２０４は、ユーザ装置ＵＥが、通知されたＣＡバンドコンビネーションと、当該ＣＡバンドコンビネーションを最上位のＣＡバンドコンビネーションとするそのサブセットの全てのＣＡバンドコンビネーションに対応していると判断する（ステップ２０３）。また、ＭＩＭＯレイヤ数については、各サブセットの各バンドにおいて、受信したＣＡバンドコンビネーション情報におけるＭＩＭＯレイヤ数と同じＭＩＭＯレイヤ数をサポートしていると判断する。例えば、ＵＥ能力判定部２０４は、このような判断結果をＤＬ信号送信部２０１、ＵＬ信号受信部２０２に通知し、ＤＬ信号送信部２０１、ＵＬ信号受信部２０２は、必要に応じてＣＡバンドコンビネーション情報格納部２０３を参照することで、具体的なＣＡコンビネーションの情報を取得し、設定に使用する。
【００５４】
ステップ２０２での判断がＮｏ（複数受信）となる場合、基地局ｅＮＢのＵＥ能力判定部２０４は、ユーザ装置ＵＥが、通知された各ＣＡバンドコンビネーション、及びＭＩＭＯレイヤ数をサポートしていると判断する（ステップ２０４）。
【００５５】
なお、基地局ｅＮＢの機能構成は上記のものに限られるわけではなく、本実施の形態で説明する処理を実現できるいかなる構成を採用してもよい。例えば、基地局ｅＮＢとして使用できる基地局は、キャリアアグリゲーションに対応した移動通信システムにおける基地局であって、ユーザ装置から、キャリアアグリゲーションにおけるバンドの組み合わせを示すバンド組み合わせ情報を受信する受信部と、前記受信部により受信された前記バンド組み合わせ情報に含まれるバンドの組み合わせの数に応じて、前記ユーザ装置において使用可能なバンドの組み合わせを判定する判定部と、を備え、前記判定部は、前記バンド組み合わせ情報に含まれるバンドの組み合わせの数が１である場合に、前記ユーザ装置は、所定のバンドの組み合わせのセットにおける全てのバンドの組み合わせを使用可能であると判定するように構成される。
【００５６】
前記所定のバンドの組み合わせのセットは、例えば、最上位のバンドの組み合わせと、当該最上位のバンドの組み合わせのサブセットを有し、前記１つのバンドの組み合わせは、前記最上位のバンドの組み合わせである。この構成により、ユーザ装置ＵＥが、あるＣＡバンドコンビネーションとそのサブセットのＣＡバンドコンビネーションの全てに対応している場合において、ユーザ装置能力（ＵＥ  ｃａｐａｂｉｌｉｔｙ）のＣＡバンドコンビネーションに関するシグナリング量を削減することができる。
【００５７】
（変形例）
ユーザ装置ＵＥは、上述したような解釈を行わない基地局ｅＮＢに接続することも考えられる。そこで、当該基地局ｅＮＢは、ユーザ装置ＵＥに対して、本実施の形態に係るＣＡバンドコンビネーション情報の解釈機能を備えているか否かを示す情報を通知してもよい。
【００５８】
図１７に、変形例における動作例を示す。基地局ｅＮＢのセルに在圏したユーザ装置ＵＥは、本実施の形態に係るＣＡバンドコンビネーション情報の解釈機能を備えているか否かを示す報知情報（システム情報）を基地局ｅＮＢから受信する（ステップ３０１）。
【００５９】
報知情報を受信したユーザ装置ＵＥは、報知情報から基地局ｅＮＢが本実施の形態に係るＣＡバンドコンビネーション情報の解釈機能を備えているか否かを判断する（ステップ３０２）。そして、基地局ｅＮＢが当該解釈機能を備えている場合、ユーザ装置ＵＥは、これまでに説明したように、ＣＡコンビネーション情報の通知を行う。すなわち、例えば、最上位のＣＡコンビネーションとそのサブセットの全てのＣＡコンビネーションに対応している場合には、最上位のＣＡコンビネーションのみに関するＣＡコンビネーション情報の送信を行う（ステップ３０３）。
【００６０】
一方、基地局ｅＮＢが当該解釈機能を備えていない場合には、ユーザ装置ＵＥは、既存の方法で通知を行う。つまり、最上位のＣＡコンビネーションとそのサブセットの全てのＣＡコンビネーションに対応しているか否かにかかわらず、全ての対応しているＣＡコンビネーションについての情報通知を行う（ステップ３０４）。
【００６１】
また、これまでに説明した例では、最上位のＣＡコンビネーションとそのサブセットの全てのＣＡコンビネーションに対応している場合以外は、各ＣＡバンドコンビネーションについての情報を通知することとしているが、例えば、最上位のＣＡコンビネーションのサブセットの全てのＣＡコンビネーションのうち、所定の閾値以下の数のＣＡバンドコンビネーションのみが非対応である場合には、最上位のＣＡバンドコンビネーションの情報と、非対応であるＣＡバンドコンビネーションの情報に非対応であることを示すフラグを付した情報とを送信することとしてもよい。この場合、上記フラグ付き情報を受信した基地局ｅＮＢは、ユーザ装置ＵＥが、全てのＣＡコンビネーションから、フラグの付いたＣＡバンドコンビネーションを除いたＣＡコンビネーションに対応していると判定する。この場合、対応している各ＣＡバンドコンビネーションの各バンドのＭＩＭＯレイヤ数については、最上位のＣＡバンドコンビネーションでサポートするＭＩＭＯレイヤ数と同じとする。
【００６２】
以上、本発明の実施の形態を説明してきたが、開示される発明はそのような実施形態に限定されず、当業者は様々な変形例、修正例、代替例、置換例等を理解するであろう。発明の理解を促すため具体的な数値例を用いて説明がなされたが、特に断りのない限り、それらの数値は単なる一例に過ぎず適切な如何なる値が使用されてもよい。上記の説明における項目の区分けは本発明に本質的ではなく、２以上の項目に記載された事項が必要に応じて組み合わせて使用されてよいし、ある項目に記載された事項が、別の項目に記載された事項に（矛盾しない限り）適用されてよい。機能ブロック図における機能部又は処理部の境界は必ずしも物理的な部品の境界に対応するとは限らない。複数の機能部の動作が物理的には１つの部品で行われてもよいし、あるいは１つの機能部の動作が物理的には複数の部品により行われてもよい。説明の便宜上、ユーザ装置及び基地局は機能的なブロック図を用いて説明されたが、そのような装置はハードウェアで、ソフトウェアで又はそれらの組み合わせで実現されてもよい。本発明の実施の形態に従ってユーザ装置が有するプロセッサにより動作するソフトウェア、及び、基地局が有するプロセッサにより動作するソフトウェアは、ランダムアクセスメモリ（ＲＡＭ）、フラッシュメモリ、読み取り専用メモリ（ＲＯＭ）、ＥＰＲＯＭ、ＥＥＰＲＯＭ、レジスタ、ハードディスク（ＨＤＤ）、リムーバブルディスク、ＣＤ−ＲＯＭ、データベース、サーバその他の適切な如何なる記憶媒体に保存されてもよい。本発明は上記実施形態に限定されず、本発明の精神から逸脱することなく、様々な変形例、修正例、代替例、置換例等が本発明に包含される。
【符号の説明】
【００６３】
ＵＥ  ユーザ装置
ｅＮＢ  基地局
１０１  ＤＬ信号受信部
１０２  ＵＬ信号送信部
１０３  ＵＥ能力情報格納部
１０４  ＵＥ能力情報通知制御部
２０１  ＤＬ信号送信部
２０２  ＵＬ信号受信部
２０３  ＣＡバンドコンビネーション情報格納部
２０４  ＵＥ能力判定部
【図１】
2015149566.tif 000003
【図２】
2015149566.tif 000004
【図３】
2015149566.tif 000005
【図４】
2015149566.tif 000006
【図５】
2015149566.tif 000007
【図６】
2015149566.tif 000008
【図７】
2015149566.tif 000009
【図８】
2015149566.tif 000010
【図９】
2015149566.tif 000011
【図１０】
2015149566.tif 000012
【図１１】
2015149566.tif 000013
【図１２】
2015149566.tif 000014
【図１３】
2015149566.tif 000015
【図１４】
2015149566.tif 000016
【図１５】
2015149566.tif 000017
【図１６】
2015149566.tif 000018
【図１７】
2015149566.tif 000019